(57)【要約】【課題】異音の発生を抑制することができる軸受装置及びこれを備えた建設機械を提供する。【解決手段】軸１７と、この軸１７を支承する軸受面１６Ａを有し、下側肉厚に対して上側肉厚を大きく形成し、潤滑油２６を含浸した多孔質のブッシュ１６と、このブッシュ１６を保持する筒状のアームボス１５と、ブッシュ１６の軸方向両側にそれぞれ配置され、アームボス１５と軸１７との隙間に設けた遮油部材１９及びダストシール２０とを備える。【選択図】  図２
2005090620.tif 000002
【特許請求の範囲】
【請求項１】
軸を支承する軸受面を有し、下側肉厚に対し上側肉厚を大きく形成し、潤滑油を含浸した多孔質のブッシュを備えたことを特徴とするすべり軸受体。
【請求項２】
軸を支承する軸受面を有し、下側から上側に向かうに従って肉厚を暫次大きく形成し、潤滑油を含浸した多孔質のブッシュを備えたことを特徴とするすべり軸受体。
【請求項３】
軸を支承する軸受面を有し、下側肉厚に対して上側肉厚を大きく形成し、潤滑油を含浸した多孔質のブッシュと、
このブッシュを保持するボス部材と
を備えたことを特徴とするすべり軸受。
【請求項４】
軸を支承する軸受面を有し、下側から上側に向かうに従って肉厚を暫次大きく形成し、潤滑油を含浸した多孔質のブッシュと、
このブッシュを保持するボス部材と
を備えたことを特徴とするすべり軸受。
【請求項５】
軸と、
この軸を支承する軸受面を有し、下側肉厚に対して上側肉厚を大きく形成し、潤滑油を含浸した多孔質のブッシュと、
このブッシュを保持するボス部材と
を備えたことを特徴とするすべり軸受装置。
【請求項６】
軸と、
この軸を支承する軸受面を有し、下側から上側に向かうに従って肉厚を暫次大きく形成し、潤滑油を含浸した多孔質のブッシュと、
このブッシュを保持するボス部材と
を備えたことを特徴とするすべり軸受装置。
【請求項７】
請求項５または請求項６に記載のすべり軸受装置を油圧ショベルのブームとアームとの連結部に設けたことを特徴とするすべり軸受組立体。
【請求項８】
請求項５または請求項６に記載のすべり軸受装置を油圧ショベルの多関節アームの連結部に設けたことを特徴とする建設機械。
【発明の詳細な説明】
【技術分野】
【０００１】
本発明は、油圧ショベル等の建設機械に装備される軸受装置及びこれを備えた建設機械に関し、さらに詳しくは、異音の発生を抑制することができるすべり軸受、すべり軸受装置、並びにこのすべり軸受装置を備えたすべり軸受組立体及び建設機械に関する。
【背景技術】
【０００２】
建設機械等の掘削機械においては、駆動機構を動作させるために、その駆動機構を構成する各部材を相対的に回動又は揺動可能に連結し、シリンダその他のアクチュエータで駆動するように構成している。例えば、油圧ショベルの作業装置においては、ブームの先端にアームが連結されアームの先端にバケットが連結されるが、掘削作業の際にはアームシリンダ及びバケットシリンダをそれぞれ駆動させ、アームをブームとの連結部を中心として、またバケットをアームとの連結部を中心として回動又は揺動させることにより、土砂等を掘削するようになっている。これらの連結部は、軸とブッシュとを有する軸受装置を介して連結されている。
【０００３】
このような軸受装置の従来技術としては、焼結によって製造した円筒形状の多孔質ブッシュに潤滑油を含浸させたものがある（例えば、特許文献１参照。）。この軸受装置においては、軸とブッシュとが摺動する際にはその摩擦熱によってブッシュに含浸させた潤滑油が摺動面に滲出し、薄い油膜を形成して潤滑する。そして、軸とブッシュとの摺動が停止した際には、摺動面を潤滑した潤滑油は毛細管現象によりブッシュの気孔内に吸入され、再びブッシュに含浸される。これにより、軸とブッシュとの間に介在させるグリースが不要となり、またブッシュに含浸させた潤滑油の流動性は極めて低いことから潤滑油の流失を抑制することができ、その結果、低速・高面圧の環境下でも数年間以上の長期間に渡って無給脂で摺動させることが可能なようになっている。
【０００４】
【特許文献１】特開平１０−８２４２３号公報
【発明の開示】
【発明が解決しようとする課題】
【０００５】
しかしながら、上記従来技術では以下のような課題が存在する。
すなわち、一般に焼結により製造した多孔質ブッシュは空孔が互いに連通しているため、ブッシュに含浸された潤滑油は重力により下方に引っ張られ、時間の経過と共にブッシュの下側に移行する。その結果、上記従来技術の軸受装置のように周方向に同肉厚であるブッシュの場合には、ブッシュの上側の潤滑油含浸量が下側に比べて減少し、ブッシュの上側における潤滑油の供給量が不足して摺動面の潤滑が十分に行われない可能性がある。
【０００６】
このような状態は、例えば上記従来技術の軸受装置をブームとアームとの連結部に装備した油圧ショベルにおいて、軸受装置への給脂作業を行う場合等に生じうる。通常、このような給脂作業等を行う際には、作業装置を折りたたんでアームを引き込み、バケットを接地させて安全な姿勢とした上で給脂作業を行うが、このような状態においては、アームやバケット等の自重によってアームがブームに対して微小に回動する場合がある。このとき、アームとブームとを連結する軸受装置においては、その構造上、潤滑油の含浸量が減少しているブッシュの上側の摺動面に面圧を生じながらブッシュと軸とが摺動することから、潤滑が十分に行われずに、軸受装置からきしみ音等の異音が発生する恐れがあった。
【０００７】
また、このような自重によるアームの動作によっては異音が発生しなかったとしても、次の掘削作業開始時にアームを駆動させた際にアームとブームとを連結する軸受装置から異音が発生する恐れがあった。
【０００８】
本発明は、上記従来技術の問題に鑑みてなされたものであり、その目的は、異音の発生を抑制することができるすべり軸受、すべり軸受装置、並びにこのすべり軸受装置を備えたすべり軸受組立体及び建設機械を提供することにある。
【課題を解決するための手段】
【０００９】
（１）上記目的を達成するために、本発明のすべり軸受は、軸を支承する軸受面を有し、下側肉厚に対し上側肉厚を大きく形成し、潤滑油を含浸した多孔質のブッシュを備えるものとする。
【００１０】
本発明においては、含浸油を含浸した多孔質のブッシュと軸とが摺動する際には、ブッシュと軸との間に発生する摩擦熱によってブッシュの気孔内に含浸されている潤滑油がブッシュと軸との摺動面に滲出する。これにより摺動面に油膜が形成され、その油膜によってブッシュと軸とは滑らかに潤滑する。一方、ブッシュと軸との摺動が停止した際には、摺動面を潤滑した潤滑油は毛細管現象によりブッシュの気孔内に吸入され、再びブッシュの気孔内に含浸される。
【００１１】
このとき、一般に焼結により製造した多孔質ブッシュは空孔が互いに連通しているため、ブッシュに含浸された潤滑油は重力により下方に引っ張られ、時間の経過と共にブッシュの下側に移行する。その結果、前述した従来技術の軸受装置のように周方向に同肉厚であるブッシュの場合には、ブッシュの上側の潤滑油含浸量が下側に比べて減少し、ブッシュの上側における潤滑油の供給量が不足して摺動面の潤滑が十分に行われない可能性がある。
【００１２】
このような状態は、例えば上記従来技術の軸受装置をブームとアームとの連結部に装備した油圧ショベルにおいて、軸受装置への給脂作業を行う場合等に生じうる。通常、このような給脂作業等を行う際には、作業装置を折りたたんでアームを引き込み、バケットを接地させて安全な姿勢とした上で給脂作業を行うが、このような状態においては、アームやバケット等の自重によってアームがブームに対して微小に回動する場合がある。このとき、アームとブームとを連結する軸受装置においては、その構造上、潤滑油の含浸量が減少しているブッシュの上側の摺動面に比較的大きな面圧を生じながらブッシュと軸とが摺動することから、潤滑が十分に行われずに、軸受装置からきしみ音等の異音が発生する恐れがあった。
【００１３】
また、このような自重によるアームの動作によっては異音が発生しなかったとしても、次の掘削作業開始時にアームを駆動させた際にアームとブームとを連結する軸受装置から異音が発生する恐れがあった。
【００１４】
これに対し、本発明においては、潤滑油を含浸した多孔質のブッシュをその下側肉厚に対して上側肉厚が大きくなるように形成する。これにより、ブッシュの上側における潤滑油の含浸量を増大させることができ、その結果、ブッシュの上側でのブッシュと軸との摺動面への潤滑油の供給量を増大させて潤滑性を向上することができる。したがって、本発明の軸受装置を例えば油圧ショベルのブームとアームとの連結部に用いることで、上記したような給脂作業中の自重によるアームの動作時、又は掘削作業開始の際のアーム駆動時においても、きしみ音等の異音が軸受装置から発生するのを抑制することができる。
【００１５】
（２）上記目的を達成するために、また本発明のすべり軸受は、軸を支承する軸受面を有し、下側から上側に向かうに従って肉厚を暫次大きく形成し、潤滑油を含浸した多孔質のブッシュを備えるものとする。
【００１６】
（３）上記目的を達成するために、また本発明のすべり軸受は、軸を支承する軸受面を有し、下側肉厚に対して上側肉厚を大きく形成し、潤滑油を含浸した多孔質のブッシュと、このブッシュを保持するボス部材とを備えるものとする。
【００１７】
（４）上記目的を達成するために、また本発明のすべり軸受は、軸を支承する軸受面を有し、下側から上側に向かうに従って肉厚を暫次大きく形成し、潤滑油を含浸した多孔質のブッシュと、このブッシュを保持するボス部材とを備えるものとする。
【００１８】
（５）上記目的を達成するために、本発明のすべり軸受装置は、軸と、この軸を支承する軸受面を有し、下側肉厚に対して上側肉厚を大きく形成し、潤滑油を含浸した多孔質のブッシュと、このブッシュを保持するボス部材とを備えるものとする。
【００１９】
（６）上記目的を達成するために、また本発明のすべり軸受装置は、軸と、この軸を支承する軸受面を有し、下側から上側に向かうに従って肉厚を暫次大きく形成し、潤滑油を含浸した多孔質のブッシュと、このブッシュを保持するボス部材とを備えるものとする。
【００２０】
（７）上記目的を達成するために、本発明のすべり軸受組立体は、上記（５）または（６）に記載のすべり軸受装置を油圧ショベルのブームとアームとの連結部に設けるものとする。
【００２１】
（８）上記目的を達成するために、本発明の建設機械は、上記（５）または（６）に記載のすべり軸受装置を油圧ショベルの多関節アームの連結部に設けるものとする。
【発明の効果】
【００２２】
本発明によれば、潤滑油を含浸した多孔質のブッシュをその下側肉厚に対して上側肉厚が大きくなるように形成する。これにより、ブッシュの上側における潤滑油の含浸量を増大させることができ、その結果、ブッシュの上側でのブッシュと軸との摺動面への潤滑油の供給量を増大させて潤滑性を向上することができる。したがって、軸受装置からの異音の発生を抑制することができる。
【発明を実施するための最良の形態】
【００２３】
以下、本発明のすべり軸受、すべり軸受装置、並びにこのすべり軸受装置を備えたすべり軸受組立体及び建設機械の一実施の形態を図１乃至図１０を参照しつつ説明する。
図１は本発明のすべり軸受の一実施の形態を備えた油圧ショベルの全体構造を表す側面図である。
【００２４】
この図１において、１は走行体、２はこの走行体１上に旋回可能に搭載した旋回体、３はこの旋回体２上の一方側（図１中左側）に設けた運転室、４は上記旋回体２上の他方側（図１中右側）に設けたエンジン室、５は上記旋回体２上の運転室３側に設けた作業装置（多関節アーム）であり、油圧ショベルはこれら走行体１、旋回体２、運転室３、エンジン室４、及び作業装置５によって概略構成されている。
【００２５】
また、６は上記旋回体２に俯仰動可能に設けたブーム、７はこのブーム６駆動用のブーム用油圧シリンダ、８はブーム６の先端に回動可能に設けたアーム、９はこのアーム８駆動用のアーム用油圧シリンダ、１０はアーム８の先端に回動可能に設けたバケット、１１はこのバケット１０駆動用のバケット用油圧シリンダであり、上記作業装置５はこれらブーム６、アーム８、バケット１０、及び各油圧シリンダ７，９，１１により構成されている。
【００２６】
これら作業装置５の構成部材であるブーム６、アーム８、バケット１０は、それぞれすべり軸受装置によって相互に回動又は揺動可能に連結されている。図２はこれらのすべり軸受装置のうち、ブーム６とアーム８とを連結するすべり軸受装置１２の内部構造を示す断面図である。
【００２７】
この図２において、１５はアーム８のブーム６との連結部に設けたアームボス（ボス部材）であり、このアームボス１５の内径側には後述のブッシュ１６を嵌着するための嵌合穴が軸方向に形成されている。１６はアームボス嵌合穴１５Ａに嵌着されたブッシュ、１７はブーム６の先端に設けたブラケット１８，１８（図１も参照）に回転係止ボルト２３により回転不能に固定され、ブッシュ１６に摺動可能に挿通された軸、１９，１９はブッシュ１６の両側面にそれぞれ配置された遮油部材、２０，２０はこれら遮油部材１９，１９をブッシュ１６の両側面に当接させるように、アームボス１５と軸１７との隙間に圧入された一対のダストシールである。また、２１，２１はブッシュ１５とブラケット１８，１８との隙間にそれぞれ設けたシム、２２，２２はこの隙間の外周側にそれぞれ装着されたＯリングである。
【００２８】
上記軸１７は、例えば鋼から構成され、浸炭焼入れ、高周波焼入れ、又は窒化等の熱処理を施したものである。なお、それ以外に、硬質クロムメッキ等のコーティング処理を施してもよい。また、軸１７の材質は鋼に限定されるものではなく、鋳鉄、鋳鋼等、他の材質でもよい。
【００２９】
図３は本発明のすべり軸受の一実施の形態を構成するブッシュ１６の断面形状を簡略的に示す、図２中III−III断面における断面図である。
この図３に示すように、ブッシュ１６は円筒形状（断面略円形状）をしており、軸１７挿通用の穴が偏心して設けられ、その内周面が軸１７を支承する軸受面１６Ａを構成している。そして、ブッシュ１６は下側の肉厚が薄くなるように形成されると共に、上側の肉厚が厚くなるように形成されている。このとき、最小肉厚と最大肉厚との比率は１：３〜８程度であるのが好ましい。これにより、ブッシュ１６の上側半分の潤滑油含浸量を下側半分の潤滑油含浸量の２倍以上とすることができる。
【００３０】
なお、前記の遮油部材１９及びダストシール２０についても軸１７挿通用の穴が偏心して設けられており、ブッシュ１６と共にアームボス１５の嵌合穴１５Ａ内に嵌着できるように形成されている。
【００３１】
図４はブッシュ１６と軸１７との摺動面の様子を示す、図３中Ａ部の拡大図である。
この図４に示すように、ブッシュ１６は例えば銅粉と鉄粉とから形成された多孔質複合焼結合金からなり、互いに連通した多数の気孔２５を有している。これら気孔２５内には潤滑油２６が含浸されている。そして、ブッシュ１６と軸１７とが摺動する際には、その摺動によって発生する摩擦熱によりブッシュ１６の気孔２５内に含浸されている潤滑油２６が摺動面に滲出し、油膜Ｍを形成する。この油膜Ｍによって、ブッシュ１６と軸１７とは滑らかに潤滑できるようになっている。
【００３２】
なお、本実施の形態ではブッシュ１６を焼結により製造するようにしたが、これは、例えば円柱形状から穴を削り出して軸受面１６Ａを製作するような場合では、歩留まりが悪く、加工費が高い等のデメリットが発生するからである。また、焼結により製造することで、所望する型枠を製作してプレス成形することにより、後述の図５乃至図１０に示すような任意の形状を容易に製造することができるからである。なお、このように焼結により製造したブッシュ１６は、目的に応じて、色々な付加的処理（再圧縮、後処理等）を行い、精度・強度・硬さなどを向上するようにしてもよい。
【００３３】
次に、上記構成の本発明の軸受装置及びこれを備えた建設機械の一実施の形態の動作及び作用を以下に説明する。
油圧ショベルで掘削作業を行う際には、ブーム６とアーム８とを連結するすべり軸受装置１２のブッシュ１６と軸１７とが摺動することによってブーム６とアーム８とが回動し、作業装置５が駆動される。このとき、ブッシュ１６と軸１７との摺動により発生する摩擦熱により、ブッシュ１６の気孔２５内に含浸されている潤滑油２６がブッシュ１６と軸１７との摺動面に滲出し、油膜Ｍを形成する。この油膜Ｍによって、ブッシュ１６と軸１７とは滑らかに潤滑する。一方、ブッシュ１６と軸１７との摺動が停止すると、摺動面を潤滑した潤滑油２６は毛細管現象によりブッシュ１６の気孔２５内に吸入され、再びブッシュ１６に含浸される。
【００３４】
ここで、一般に本実施の形態のように焼結により製造したブッシュ１６は空孔２５が互いに連通しているため、このブッシュ１６に含浸させた潤滑油２６は重力により下方に引っ張られ、時間の経過と共に連通した空孔２５を経てブッシュ１６の下側に移行する。その結果、前述した従来技術の軸受装置のように周方向に同肉厚であるブッシュの場合には、ブッシュの上側の潤滑油含浸量が下側に比べて減少し、ブッシュの上側における潤滑油の供給量が不足してブッシュと軸との摺動面の潤滑が十分に行われない可能性がある。
【００３５】
このような状態は、例えば上記周方向に同肉厚であるブッシュを備えた従来技術の軸受装置をブーム６とアーム８とを連結するすべり軸受装置１２に適用した油圧ショベルにおいて、作業装置５に装備される軸受装置への給脂作業を行う場合等に生じうる。通常、このような給脂作業等を行う際には、作業装置５を折りたたんでアーム８を引き込み、バケット１０を接地させて安全な姿勢とした上で給脂作業を行うが、このような状態においては、アーム８やバケット１０等の自重によってアーム８がブーム６に対して微小に回動する場合がある。このとき、すべり軸受装置１２においては、その構造上、潤滑油２６の含浸量が減少しているブッシュ１６の上側（正確には軸受面１６Ａの上側）に比較的大きな面圧を生じながらブッシュ１６と軸１７とが摺動することから、潤滑が十分行われずに、すべり軸受装置１２からきしみ音等の異音が発生する恐れがあった。また、このような自重によるアーム８の動作によっては異音が発生しなかったとしても、次の掘削作業開始時にアーム８を駆動させた際にすべり軸受装置１２から異音が発生する恐れがあった。
【００３６】
これに対し、本実施の形態においては、潤滑油２６を含浸した多孔質のブッシュ１６をその下側肉厚に対して上側肉厚が大きくなるように形成する。これにより、ブッシュ１６の上側における潤滑油２６の含浸量を増大させることができ、その結果、ブッシュ１６の上側でのブッシュ１６と軸１７との摺動面への潤滑油２６の供給量を増大させて潤滑性を向上することができる。したがって、本実施の形態によれば、上記したような給脂作業中の自重によるアーム８の動作時、掘削作業開始の際のアーム８の駆動時においても、きしみ音等の異音がすべり軸受装置１２から発生するのを抑制することができる。
【００３７】
さらに、このようにブッシュ１６と軸１７との摺動面の潤滑性を向上することができることにより、前述の従来技術の軸受装置においてはブッシュの上側における摩耗量が下側に対して多くなる可能性があったのに対し、そのような偏摩耗を防止することができる。またさらに、前述の従来技術の軸受装置においては本実施の形態のすべり軸受装置１２のようにブッシュの上側に比較的大きな面圧を生じるような箇所に適用した場合には、摩耗速度が速くなる可能性があったのに対し、本実施の形態によれば摩耗速度を低減し、すべり軸受装置１２の長寿命化を図ることが可能である。
【００３８】
なお、ブッシュ１６の形状は前述の図３で示した断面略円形状に限られるものではなく、本発明の趣旨及び技術的思想を逸脱しない範囲内で、種々の変形が可能である。以下、この変形例を図５乃至図１０を用いて説明する。
【００３９】
例えば図５に示すように、軸１７挿通用の穴３０Ａを下方向に偏心して設けた断面略楕円形状のブッシュ３０としてもよい。また、例えば図６に示すように、軸１７挿通用の穴３１Ａを下方向に偏心して設けた断面略四角形状（但し、ここでは面取りしている）のブッシュ３１としてもよい。また、例えば図７に示すように、軸１７挿通用の穴３２Ａを下方向に偏心して設けた断面略台形状（下底より上底の長さが長い台形状）のブッシュ３２としてもよい。また、例えば図８に示すように、軸１７挿通用の穴３３Ａを下方向に偏心して設けた断面略六角形状のブッシュ３３としてもよい。
【００４０】
また、例えば図９に示すように、軸１７挿通用の穴３４Ａを下方向に偏心して設けた断面略扇形状（下方に向かって拡がった扇形状）のブッシュ３４としてもよい。また、例えば図１０に示すように、軸１７挿通用の穴３５Ａを下方向に偏心して設けた断面略扇形状（上方に向かって広がった扇形状）のブッシュ３５としてもよい。
以上説明したブッシュの変形例においても、ブッシュの上側における潤滑油の含浸量を増大させ、ブッシュと軸との摺動面の潤滑性を向上することができる。
【００４１】
また、以上説明してきた本発明の一実施の形態においては、本発明の軸受装置を作業装置５のブーム６とアーム８との連結部に用いた例を示したが、これに限らない。すなわち、例えばアーム８とバケット１０との連結部や、各シリンダ７，９，１１とブーム６、アーム８、バケット１０との連結部、又は旋回体２とブーム６との連結部等、油圧ショベルの駆動状態によってはブッシュ上側の摺動面に比較的大きな面圧を生じるような状態となる箇所に、必要に応じて適用してもよい。それにより、上記一実施の形態と同様の効果を得ることができる。
【図面の簡単な説明】
【００４２】
【図１】本発明のすべり軸受の一実施の形態を備えた油圧ショベルの全体構造を表す側面図である。
【図２】本発明のすべり軸受装置の一実施の形態の内部構造を示す断面図である。
【図３】本発明のすべり軸受の一実施の形態を構成するブッシュの断面形状を簡略的に示す、図２中III−III断面における断面図である。
【図４】本発明のすべり軸受装置の一実施の形態におけるブッシュと軸との摺動面の様子を示す図３中Ａ部の拡大図である。
【図５】本発明のすべり軸受の一実施の形態を構成するブッシュの変形例の断面形状を簡略的に示す断面図である。
【図６】本発明のすべり軸受の一実施の形態を構成するブッシュの変形例の断面形状を簡略的に示す断面図である。
【図７】本発明のすべり軸受の一実施の形態を構成するブッシュの変形例の断面形状を簡略的に示す断面図である。
【図８】本発明のすべり軸受の一実施の形態を構成するブッシュの変形例の断面形状を簡略的に示す断面図である。
【図９】本発明のすべり軸受の一実施の形態を構成するブッシュの変形例の断面形状を簡略的に示す断面図である。
【図１０】本発明のすべり軸受の一実施の形態を構成するブッシュの変形例の断面形状を簡略的に示す断面図である。
【符号の説明】
【００４３】
５            作業装置（多関節アーム）
６            ブーム
８            アーム
１２          すべり軸受装置
１５          アームボス（ボス部材）
１５Ａ        嵌合穴
１６          ブッシュ
１６Ａ        軸受面
１７          軸
２６          潤滑油
３０          ブッシュ
３１          ブッシュ
３２          ブッシュ
３３          ブッシュ
３４          ブッシュ
３５          ブッシュ
【図１】
2005090620.tif 000003
【図２】
2005090620.tif 000004
【図３】
2005090620.tif 000005
【図４】
2005090620.tif 000006
【図５】
2005090620.tif 000007
【図６】
2005090620.tif 000008
【図７】
2005090620.tif 000009
【図８】
2005090620.tif 000010
【図９】
2005090620.tif 000011
【図１０】
2005090620.tif 000012